(57)【要約】      （修正有）【課題】切り開き溝（係止溝）の周縁方向から挿入して電気コードプラグを簡単に吊下できる電気コードプラグの吊下具を提供すること。【解決手段】支持体１に係止溝４を複数個形成した吊下部５を突設し、該支持体１に支持手段を配設して成る吊下具において、前記係止溝４が、所要の角度で上方への仰角及び／又は何れか一方へのテーパを以て形成されて成る。このほか、支持体と吊下部が、金属線材で折曲加工成形され、支持手段としてのビス取付け孔６が前記金属線材のリング孔から成る。【選択図】図１
0003113385.tif 000002
【実用新案登録請求の範囲】
【請求項１】
支持体に係止溝を複数個形成した吊下部を突設し、該支持体に支持手段を配設して成る吊下具において、
前記係止溝が、所要の角度で上方への仰角及び／又は何れか一方へのテーパを以て形成されて成る電気コードプラグの吊下具。
【請求項２】
支持体と吊下部が、金属線材で折曲加工成形され、支持手段としてのビス取付け孔が前記金属線材のリング孔から成る請求項１記載の電気コードプラグの吊下具。
【考案の詳細な説明】
【技術分野】
【０００１】
本考案は家庭用具の分野に属し、家庭用の種々のサポートに関する。
【背景技術】
【０００２】
各種の物品を吊下げするサポートには、環状の口部を有するもの、例えば登録実用新案第3051628号（特許文献１）やフックを構成するものなど提案されているが、電気コードプラグのように長いコードを伴うものは環状の口部にコードを挿通する切り開き溝がなければ電気コードプラグは吊下げできない。そこで、電源プラグ掛け具として特開2002-216884号公報（特許文献２）に電源プラグの使用の快適性を向上するとしたサポート技術が提案されているが、該掛け具は掛け部２に対して引掛部材４を前面に挿入間隙Ｒを置いて立設するから、電源プラグＷを取り外す場合に、そのまま引き抜くことができず、一度引き上げて挿入間隙Ｒからの引き抜き状態の位置で引き抜くことになり、その取り外しは勿論のこと吊り下げも面倒な上、構造も複雑でコスト高となる。
【特許文献１】登録実用新案公報  登録第３０５１６２８号
【特許文献２】特開２００２−２１６８８４号公報
【考案の開示】
【考案が解決しようとする課題】
【０００３】
本考案は、環状の周縁を有する口部や吊下部に物品を落とし込んでそれ等の凸部を口部や吊下部の周縁に吊下げるのではなく、周縁方向から挿入して電気コードのような長い紐状のものがあっても簡単にプラグを吊下げできる電気コードプラグの吊下具を提供するものである。
【課題を解決するための手段】
【０００４】
請求項１に記載した電気コードプラグの吊下具は、支持体に係止溝を複数個形成した吊下部を突設し、該支持体に支持手段を配設して成る吊下具において、
前記係止溝が、所要の角度で上方への仰角及び／又は何れか一方へのテーパを以て形成されて成る。
請求項２に記載した発明は、請求項１に記載した電気コードプラグの吊下具において、
支持体と吊下部が、金属線材で折曲加工成形され、支持手段としてのビス取付け孔が前記金属線材のリング孔から成る。
【考案の効果】
【０００５】
請求項１に記載した電気コードプラグの吊下具は、プラグの首部が係止溝に簡単に出入でき、その突出周縁が上向きの仰角を有する係止溝に吊下される場合は、吊下されたプラグは滑り落ちることなくしっかりと保持され、テーパを有する係止溝に吊下される場合は、テーパ度に見合う自由度で該プラグの突出周縁の大小に対応でき、請求項２に記載した電気コードプラグの吊下具は、前記効果のほか係止溝の外端側を絞って形成でき、その弾性変形をプラグの出入に利用できるから、確実な係止状態を保持でき、しかも、金属線材の折曲加工造形による意匠美を提供できる。
【考案を実施するための最良の形態】
【０００６】
本考案の電気コードプラグの吊下具において、支持体が板状のものはビス取付け孔を介してビスで取付け面に取着されるほか、裏面に接着した両面接着テープを介して直接に取付け面に取着されるほか、間接的にマグネットの吸磁力で金属面にも取着される。そして、プラグを吊下する係止溝は、板状の支持体の下端に前方へ突設する板状の突設片の相対向する辺縁で形成されるものから、板状の支持体の下方で前方へ突設する丸棒の相対向する周縁で形成される。しかも、前記辺縁や周縁は支持体に対して直角に突出するときは、外方に向けて末広がり状のテーパを形成し、所要の角度で上方への仰角で上向きに突出する場合でも外方に向けて末広がり状のテーパが形成される。金属線材による折曲加工による場合では、係止溝の向きは水平方向（横向き）のみならず、垂直方向にも形成される。垂直方向に多段に配設される係止溝は、上向きに末広がり状のテーパが形成されたものが好適であり、横向きの係止溝の場合は外方を絞って内方に向けて末広がり状のテーパを形成し、弾性変形を介在させてプラグを係止溝に挿入するようにした方が、抜け止め作用があって好適である。
【実施例】
【０００７】
本考案を実施例により説明すると、図１に示した電気コードプラグの吊下具（以下、本吊下具とする。）Ａは、所要面積の板状の支持体１と、支持体１の下端から図１（ｂ）に示すように、所要の仰角で前方に突出する三片の突出片２相互が図１（ｃ）に示すように、挿入開口端３に向けて所要のテーパで末広がり状の係止溝４を形成した吊下部５とから成り、支持体１は図１（ａ）に示すように、上下にビス取付け孔６を貫設するとともに、裏面には図１（ｂ）に示すように、外面に剥離紙を貼着した両面接着テープ７を接着して成る。なお、金属面への取付けでは、付属のマグネット１２を仮想線で示すように、両面接着テープ７に接着して使用される。また、成形に関しては合成樹脂製の場合は支持体１と吊下部５が一体に射出成形で成形され、木製の場合は木板の支持体１に対して木板の突出片２を接着材や接着材とさねはぎなどの継手との組み合わせで接合成形される。
【０００８】
図２に示した本吊下具Ｂは、所要面積の板状の支持体１と、支持体１の下部で図２（ｂ）に示すように、所要の仰角で前方に突出する四本の丸棒８がそれぞれ一対の関係で図２（ｃ）に示すように、それぞれの挿入開口端３に向けて連通する末広がり状の係止溝４を形成した吊下部５とから成り、支持体１は図２（ａ）に示すように、上下にビス取付け孔６を貫設するとともに、裏面には図２（ｂ）に示すように、外面に剥離紙を貼着した両面接着テープ７を接着して成る。前記と同様に、金属面への取付けでは、付属のマグネット１２を仮想線で示すように、両面接着テープ７に接着して使用される。また、成形に関しては、前記本吊下具Ａと同様に合成樹脂製で支持体１と吊下部５とが一体に射出成形され、木製は木板の支持体１に対して木材の丸棒８を嵌合接着して成形される。
【０００９】
図３に示した本吊下具Ｃは、金属線材（直径３mm）９を折曲加工したもので図３（ａ）に示すように、下部中央に左巻き折曲でリング孔によるビス取付け孔６を形成し、そこから順次矢印方向へ折曲して図３（ｃ）に示すように、挿入開口端３と該開口端３に向けて末広がり状のテーパを有する係止溝４から成る吊下部５を図３（ｂ）に示すように前方へ突出して２個所成形し、左方から中央上部へ折曲し、上端を右巻きに閉じてリング孔によるビス取付け孔６を形成して成る。
【００１０】
図４に示した本吊下具Ｄは、合成樹脂の射出成形体によるもので、図４（ａ）に示すように、リップ状の支持体１に対して図４（ｂ）に示すように、直角で半円盤状に突出する突出片２を形成し、該突出片２には図４（ｃ）に示すように、その中心から円弧突端に向けて放射状に複数の挿入開口端３を該円弧突端に開口し、各挿入開口端３を所要長さのテーパ状の係止溝４に連通した吊下部５が形成される。
支持体１には上下２個所にビス取付け孔６を開口するが、その裏面には付属のマグネットが仮想線で示すように、両面接着テープ７を介して必要に応じて貼着されるものである。
【００１１】
図５に示した本吊下具Ｅは前記本吊下具Ｃと同様に金属線材（直径３mm）９を折曲加工したもので、図５（ａ）に示すように上部中央に左巻き折曲でビス取付け孔６を形成し、そこから順次矢印方向へ折曲して左方から右方へ蝶結び状に成形し、中央部から図５（ｃ）に示すように前方へ折曲し、順次に図５（ｂ）に示すように上下に三段の挿入開口端３と該開口端３に向けて上向きで末広がり状に形成される係止溝４とから成る吊下部５を成形し、中央部の下端に右巻折曲でビス取付け孔６を成形して成る。
【００１２】
このようにして成る本吊下具Ａ乃至Ｅは、コンセントに接続する電気製品の電気コードプラグ１０が交互に使用される個所の室内の壁面や台所の適当な取付け面に両面接着テープ７で接着したり、或はビス取付け孔６にてビス止めされ、このほか、金属面には付属のマグネットで止着され、コンセントに接続しない電気コードプラグ１０は吊下部５の挿入開口端３から挿入されて係止溝４にその突出周縁１１を係止して吊下げられる。それを本吊下げ具Ｃで説明すれば図６に示すように、上下ビス取付け孔６で取付け面に支持体１がビス（図外）で取着され、吊下部５の挿入開口端３から挿入された電気コードプラグ１０はその下方の突出周縁１１が係止溝４に係止され、取り外しにはつかみ易い状態で吊下げられるものであり、、不使用の電気コードが一目瞭然に確認できることとなって、プラグの差し違いによるトラブルが解消される上、床面への直置きのようにこぼれ水を被ることもなく、ショートによるトラブルも解消される。このほか金属線材９の折曲加工によるものは意匠美を伴って実用に供される。
【産業上の利用可能性】
【００１３】
本考案は、合成樹脂による射出成形業界、或は金属線材の金属折曲加工業界、若しくは木工加工業界で利用される。
【図面の簡単な説明】
【００１４】
【図１】本考案に係る電気コードプラグの吊下具Ａの説明図で、（ａ）は正面図、（ｂ）は右側面図、（ｃ）は平面図。
【図２】本考案に係る電気コードプラグの吊下具Ｂの説明図で、（ａ）は正面図、（ｂ）は右側面図、（ｃ）は平面図。
【図３】本考案に係る電気コードプラグの吊下具Ｃの説明図で、（ａ）は正面図、（ｂ）は右側面図、（ｃ）は平面図。
【図４】本考案に係る電気コードプラグの吊下具Ｄの説明図で、（ａ）は正面図、（ｂ）は右側面図、（ｃ）は平面図。
【図５】本考案に係る電気コードプラグの吊下具Ｅの説明図で、（ａ）は正面図、（ｂ）は右側面図、（ｃ）は平面図。
【図６】本考案の電気コードプラグの吊下具Ｃの使用例の説明図。
【符号の説明】
【００１５】
１：支持体
２：突出片
３：挿入開口端
４：係止溝
５：吊下具
６：ビス取付け孔
７：両面接着テープ
８：丸棒
９：金属線材
１０：電気コードプラグ
１１：突出周縁
１２：マグネット
Ａ乃至Ｅ：電気コードプラグの吊下具
【図１】
0003113385.tif 000003
【図２】
0003113385.tif 000004
【図３】
0003113385.tif 000005
【図４】
0003113385.tif 000006
【図５】
0003113385.tif 000007
【図６】
0003113385.tif 000008